(57)【特許請求の範囲】
【請求項１】
一端が電源装置に、他端が回路の電源ラインに、それぞれ接続されたヒューズが設けられてなる電子装置において、前記ヒューズが溶断された場合に、点灯素子を点灯せしめるよう構成されてなるヒューズチェック回路であって、
前記点灯素子の一端側は、前記電源装置に接続され、他端側は第１のトランジスタを介してアースに接続され、
ツェナーダイオードのアノードが前記点灯素子の他端側に、カソードがアースに、それぞれ接続され、
第２のトランジスタの一端が前記点灯素子の他端側に、他端が前記第１のトランジスタのベース側に、それぞれ接続され、
前記ヒューズが溶断された際に、第２のトランジスタを動作状態とするよう構成されてなるバイアス回路が設けられる一方、
前記ヒューズが正常状態にある場合に前記第２のトランジスタに流れる漏れ電流をアースへバイパスせしめる漏れ電流バイパス回路が設けられてなることを特徴とするヒューズチェック回路。
【請求項２】
一端が電源装置に、他端が回路の電源ラインに、それぞれ接続されたヒューズが設けられてなる電子装置において、前記ヒューズが溶断された場合に、点灯素子を点灯せしめるよう構成されてなるヒューズチェック回路であって、
前記点灯素子の一端側は、前記電源装置に接続され、他端側は第１のトランジスタを介してアースに接続され、
ツェナーダイオードのアノードが前記点灯素子の他端側に、カソードがアースに、それぞれ接続され、
第２のトランジスタのエミッタが前記点灯素子の他端側に、コレクタが第２のトランジスタコレクタ用ダイオード及び第２のトランジスタコレクタ用抵抗器を介して前記第１のトランジスタのベースに、それぞれ接続されると共に、当該第２のトランジスタのベースは、第２のトランジスタベース用抵抗器及び第２のトランジスタベース用ダイオードを介して前記ヒューズの他端に接続され、
第３のトランジスタのコレクタが前記第２のトランジスタのコレクタに、当該第３のトランジスタのエミッタがアースに、それぞれ接続されると共に、当該第３のトランジスタのベースは第３のトランジスタベース用抵抗器を介して前記ヒューズの他端に接続されてなることを特徴とするヒューズチェック回路。
【発明の詳細な説明】
【０００１】
【発明の属する技術分野】
本発明は、電子装置に設けられたヒューズの溶断をランプやＬＥＤ等の点灯素子によって表示するよう構成されたヒューズチェック回路に係り、特に、動作の信頼性向上等を図ったものに関する。
【０００２】
【従来の技術】
この種の回路としては、例えば、図２に示されたような構成を有してなるものが公知となっている。
以下、同図を参照しつつこの従来回路について説明すれば、まず、この従来のヒューズチェック回路は、車両のエンジンの動作を電子制御するための電子制御装置（以下「ＥＣＵ」と言う）に用いられているものである。
ＥＣＵの外部に設けられたヒューズＦは、その一端が、車両に搭載されるバッテリ（図示せず）に接続されてバッテリ電圧ＶBが印加される一方、他端は、ＥＣＵに設けられたヒューズ接続端子４を介してＥＣＵ内部の図示されない電源ラインに接続されており、ヒューズＦを介してバッテリ（図示せず）によるＥＣＵへの電源供給がなされるようになっている。
一方、先のヒューズＦの一方の端子には、ＬＥＤのアノードが電流調整用抵抗器Ｒａを介して接続される一方、カソードは、ＥＣＵに設けられたＬＥＤ接続端子５に接続されている。
そして、ＬＥＤは、ＥＣＵ内部に構成されたヒューズチェック回路により次述するようにして点灯されるようになっている。
【０００３】
すなわち、何らかの原因でヒューズＦが溶断すると、ヒューズ接続端子４にカソードが接続されている第１のダイオードＤ１のそのカソード側の電位は、ほぼアース電位となる。一方、この第１のダイオードＤ１には、第２及び第３のダイオードＤ２，Ｄ３が直列接続されており、第３のダイオードＤ３のアノードは、エミッタがＬＥＤ接続端子５に接続されている第２のトランジスタＴ２のベースに抵抗器Ｒ３を介して接続されている。さらに、この第２のトランジスタＴ２のコレクタは、第１のトランジスタＴ１のベースに、抵抗器Ｒ２を介して接続される一方、この第１のトランジスタＴ１のコレクタは、抵抗器Ｒ１を介してＬＥＤ接続端子５に接続されている。
【０００４】
したがって、ヒューズＦの溶断による第１のダイオードＤ１のカソード電位の低下が生ずると、第２のトランジスタＴ２が導通し、それによって、第１のトランジスタＴ１のベース電流の供給がなされ、第１のトランジスタＴ１が動作して、ＬＥＤに駆動電流が供給されるため、ＬＥＤが点灯状態となる。このＬＥＤの点灯により使用者は、ヒューズＦの溶断を視覚的に認識することができるようになっている。
なお、第１のトランジスタＴ１のベースは、ＥＣＵ内のいわゆるＣＰＵ（図示せず）にも接続されているが、これは、ＬＥＤの点灯を試験する場合に用いられるもので、ＣＰＵから所定の制御信号が出力されて第１のトランジスタＴ１が動作状態とされ、強制的にＬＥＤの点灯ができるようになっている。
【０００５】
【発明が解決しようとする課題】
ところで、近年、半導体技術の進歩は著しく、日進月歩の勢いで性能向上等が図られつつある。例えば、ＬＥＤについて見れば、より少ない電流で、しかも、高輝度化が図られつつある。
このため、上述した従来回路に、最新のＬＥＤを用いた場合、この従来回路においては、第２のトランジスタＴ２及びこの第２のトランジスタＴ２と並列接続されて設けられたツェナーダイオードＺＤ１による漏れ電流のため、ヒューズＦの溶断が生じてないにも関わらずＬＥＤが点灯してしまい、正常な動作が得られないという虞がある。
本発明は、上記実状に鑑みてなされたもので、点灯素子の電気的な特性に左右されることなく、安定で確実な点灯が可能なヒューズチェック回路を提供するものである。
本発明の他の目的は、回路素子の漏れ電流によりＬＥＤを不用意に点灯させることのないヒューズチェック回路を提供することにある。
【０００６】
【課題を解決するための手段】
上記発明の目的を達成するため、本発明に係るヒューズチェック回路は、
一端が電源装置に、他端が回路の電源ラインに、それぞれ接続されたヒューズが設けられてなる電子装置において、前記ヒューズが溶断された場合に、点灯素子を点灯せしめるよう構成されてなるヒューズチェック回路であって、
前記点灯素子の一端側は、前記電源装置に接続され、他端側は第１のトランジスタを介してアースに接続され、
ツェナーダイオードのアノードが前記点灯素子の他端側に、カソードがアースに、それぞれ接続され、
第２のトランジスタの一端が前記点灯素子の他端側に、他端が前記第１のトランジスタのベース側に、それぞれ接続され、
前記ヒューズが溶断された際に、第２のトランジスタを動作状態とするよう構成されてなるバイアス回路が設けられる一方、
前記ヒューズが正常状態にある場合に前記第２のトランジスタに流れる漏れ電流をアースへバイパスせしめる漏れ電流バイパス回路が設けられてなるものである。
【０００７】
かかる構成においては、第２のトランジスタの漏れ電流をアースへバイパスせしめる漏れ電流バイパス回路が設けられているため、ヒューズが正常な状態にある場合に、第１のトランジスタのベースへこの第１のトランジスタを動作状態とするような電流の流れ込みが阻止され、ヒューズが溶断されていない状態において、第１のトランジスタが動作して点灯素子が点灯状態とされることがなくなり、ヒューズチェック回路として信頼性のある動作を確保することとができることとなるものである。
【０００８】
【発明の実施の形態】
以下、本発明の実施の形態について、図１を参照しつつ説明する。
なお、以下に説明する部材、配置等は本発明を限定するものではなく、本発明の趣旨の範囲内で種々改変することができるものである。
この発明の実施の形態におけるヒューズチェック回路は、例えば、車両のエンジンの動作を電子制御するための電子制御装置（以下「ＥＣＵ」と言う）に用いられているものである。
まず、ＥＣＵの外部には、ヒューズ(図１においては「Ｆ」と表記）１が設けられており、その一端は、車両に搭載されるバッテリ（図示せず）に接続されてバッテリ電圧ＶBが印加されるようになっている。また、このヒューズ１の他端は、ＥＣＵに設けられたヒューズ接続端子４に接続されている。
ＥＣＵ内部では、このヒューズ接続端子４は、ＥＣＵ内部の図示されない電源ラインに接続されており、ヒューズ１を介して電源装置としてのバッテリ（図示せず）によるＥＣＵへの電源供給がなされるようになっている。
そして、ヒューズチェック回路は、次述するように構成されている。まず、ＥＣＵの外部では、ヒューズ１の溶断を使用者に知らしめるための点灯素子としてのＬＥＤ２が設けられており、そのアノードは、電流調整用抵抗器３を介してヒューズ１の一端と共に図示されないバッテリに接続されるようになっている。
また、ＬＥＤ２のカソードは、ＥＣＵに設けられたＬＥＤ接続端子５に接続されている。
【０００９】
そして、ＥＣＵ内部において、ＬＥＤ接続端子５には、第１の抵抗器（図１においては「Ｒ１」と表記）１４を介してＮＰＮ形の第１のトランジスタ（図１においては「Ｔ１」と表記）６のコレクタが接続されている。この第１のトランジスタ６のエミッタは、アースに接続される一方、ベースは、第２の抵抗器（図１においては「Ｒ２」と表記）１５を介して図示されないＣＰＵの制御ポートに接続されると共に、第３の抵抗器（図１においては「Ｒ３」と表記）１６を介してアースに接続されている。
【００１０】
また、ＬＥＤ接続端子５には、ツェナーダイオード（図１においては「ＺＤ１」と表記）１３のカソードが接続されており、このツェナーダイオード１３のアノードは、アースに接続されている。
さらに、ＬＥＤ接続端子５には、ＰＮＰ形の第２のトランジスタ（図１においては「Ｔ２」と表記）７のエミッタが接続されており、この第２のトランジスタ７のベースは、第２のトランジスタベース用抵抗器としての第４の抵抗器（図１においては「Ｒ４」と表記）１７を介して第３のダイオード（図１においては「Ｄ３」と表記）１１のアノードに接続されると共に、第５の抵抗器（図１においては「Ｒ５」と表記）１８を介してエミッタと接続されたものとなっている。
【００１１】
第２のトランジスタベース用ダイオードとしての第３のダイオード１１は、同じく第２のトランジスタベース用ダイオードとしての第１及び第２のダイオード（図１においては、それぞれ「Ｄ１」、「Ｄ２」と表記）９，１０と直列接続されたものとなっている。すなわち、第１乃至第３のダイオード９〜１１は、この順序で直列接続されており、第１のダイオード９のカソードが先のヒューズ接続端子４に接続される一方、第３のダイオード１１のアノードは、既に述べたように第４の抵抗器１７を介して第２のトランジスタ７のベースに接続されたものとなっている。
一方、第２のトランジスタ７のコレクタには、第２のトランジスタコレクタ用ダイオードとしての第４のダイオード（図１においては「Ｄ４」と表記）１２のアノードが接続されており、この第４のダイオード１２のカソードは、第２のトランジスタコレクタ用抵抗器としての第６の抵抗器（図１においては「Ｒ６」と表記）１９を介して第２の抵抗器１５の一端と共に図示されないＣＰＵの制御ポートに接続されている。
さらに、第２のトランジスタ７のコレクタには、ＮＰＮ形の第３のトランジスタ（図１においては「Ｔ３」と表記）８のコレクタが接続されており、この第３のトランジスタ８のエミッタは、アースに接続される一方、ベースは、第３のトランジスタベース用抵抗器としての第７の抵抗器（図１においては「Ｒ７」と表記）２０を介して先のヒューズ接続端子４に接続されたものとなっている。
【００１２】
次に、かかる構成における動作について説明すれば、まず、ヒューズ１が溶断されていない正常な状態においては、第１のダイオード９のカソードには、ヒューズ１を介して図示されないバッテリからの電圧が印加されることとなるため、第１乃至第３のダイオード９〜１１は、非導通状態となり、第２のトランジスタ７のベースには、ベース電流が流れないため、第２のトランジスタ７は、非導通状態となる。また、この場合、第３のトランジスタ８には、第７の抵抗器２０を介して図示されないバッテリによるバイアス電圧が印加されることとなるため、第３のトランジスタ８は、導通状態となる。
したがって、この第３のトランジスタ８の導通により、第２のトランジスタ７のコレクタは、第３のトランジスタ８を介してアースに接続された状態となるため、非導通状態にある第２のトランジスタ７にいわゆる漏れ電流が流れても、それは、第１のトランジスタ６のベースへ流れ込むことなくアースにバイパスされることとなる。
【００１３】
一方、ツェナーダイオード１３は、アノードがアースに接続されているため、その漏れ電流が従来のように第１のトランジスタ６のベースに流れ込むことはない。
したがって、ヒューズ１が溶断されていない正常な状態においては、第１のトランジスタ６のベースには、バイアス電圧が印加されず、ベース電位は、ほぼ零であるため第１のトランジスタ６は、非導通状態となり、ＬＥＤ２は消灯状態に維持されることとなる。
なお、第１のトランジスタ６のベースに接続された図示されないＣＰＵの制御ポートは、従来同様にＬＥＤ２の点灯を試験するために用いられるものである。すなわち、ＬＥＤ２の点灯を試験する際、ＣＰＵの制御ポートに論理値Ｈｉｇｈに対応する所定のレベルの信号が出力され、これによって、第１のトランジスタ６が導通状態とされることで、ＬＥＤ２には第１のトランジスタ６を介して駆動電流が流れて点灯状態とされることとなる。
【００１４】
次に、何らかの原因によりヒューズ１が溶断された場合の動作について説明すれば、まず、ヒューズ１の溶断により、ＥＣＵ内部の図示されない電源ラインに接続されているヒューズ接続端子４の電位は、ほぼ零電位となる。そのため、第１のダイオード９のカソードが零電位となり、第１乃至第３のダイオード９〜１１が導通状態となるため、第２のトランジスタ７が導通状態となる一方、第３のトランジスタ８は、そのベース電位が零電位となるため、非導通状態となる。
したがって、第２のトランジスタ７のコレクタ電流が第１のトランジスタ６のベース電流として第４のダイオード１２、第６の抵抗器１９及び第２の抵抗器１５を介して供給されるため、第１のトランジスタ６は導通状態となり、ＬＥＤ２には第１のトランジスタ６を介して駆動電流が流れるため、ＬＥＤ２は点灯状態となる。
【００１５】
なお、上述した発明の実施の形態においては、上述した第４の抵抗器１７及び第１乃至第３のダイオード９〜１１により第２のトランジスタのバイアス回路が形成されたものとなっている。
また、第３のトランジスタ８及び第７の抵抗器２０により漏れ電流バイパス回路が形成されたものとなっている。
また、上述の回路構成例においては、点灯素子としてＬＥＤ２を用いたが、勿論これに限定される必要はなく、ランプ等であってもよいものである。
【００１６】
【発明の効果】
以上、述べたように、本発明によれば、ヒューズが正常状態にある場合に、点灯素子の不要な点灯を招く回路素子の漏れ電流が点灯素子を駆動するトランジスタのベースへ流れ込まないような構成とすることにより、従来と異なり、微少な電流でも点灯するような点灯素子を用いても、ヒューズが正常状態である場合には、点灯素子を駆動するトランジスタが動作しないため、点灯素子の不要な点灯を生ずることなく、安定で確実な点灯を可能とするヒューズチェック回路を提供することができるという効果を奏するものである。
【図面の簡単な説明】
【図１】本発明の実施の形態におけるヒューズチェック回路の構成例を示す回路図である。
【図２】従来のヒューズチェック回路の構成例を示す回路図である。
【符号の説明】
１…ヒューズ
２…ＬＥＤ
６…第１のトランジスタ
７…第２のトランジスタ
８…第３のトランジスタ
１３…ツェナーダイオード
【図１】
0004191368.tif 000002
【図２】
0004191368.tif 000003